(57)【要約】  本発明は、両眼訓練と片眼訓練の両方を行うことのできる視力回復訓練装置を提供することを目的とする。  本発明の視力回復訓練装置は、注視する視標２と、視標２を移動させる駆動装置３と、視標２を覗き込む３個の覗き窓５ａ〜５ｃを形成した視野板１３とを備え、３個の覗き窓は水平に並んで設けられ、中心に位置する覗き窓５ｂは視標２の移動方向線の延長線上に位置し、他の２個の覗き窓５ａ、５ｃは中心に位置する覗き窓５ｂから等距離に位置し、かつ他の２個の覗き窓５ａ、５ｃの距離は人の瞳孔間隔に略等しいという特徴を有している。
2007037433.tif 000002
【特許請求の範囲】
【請求項１】
目の結像調節機能の訓練を行う視力回復訓練装置であって、
注視する視標と、視標を移動させる駆動装置と、視標を覗き込む３個の覗き窓を形成した視野板とを備え、前記覗き窓は３個ありかつそれぞれの覗き窓は水平に並んで設けられ、中心に位置する覗き窓は視標の移動方向線の延長線上に位置し、他の２個の覗き窓は中心に位置する覗き窓から等距離に位置し、かつ他の２個の覗き窓の距離は人の瞳孔間隔に略等しいことを特徴とする視力回復訓練装置。
【請求項２】
視野板を覆いかつ摺動可能に保持された遮蔽板を備え、前記遮蔽板に２個の穴を形成し、前記遮蔽板に形成された２個の穴の距離は、前記視野板に設けられた両端の２個の覗き窓の距離と等しいことを特徴とする請求項１記載の視力回復訓練装置。
【請求項３】
覗き窓は横方向に長い形状とした請求項１または２記載の視力回復訓練装置。
【発明の詳細な説明】
【技術分野】
【０００１】
本発明は、目の結像調節機能の訓練を行う視力回復訓練装置に関する。
【背景技術】
【０００２】
従来の視力回復訓練装置の概要と断面を図５と図６で示す。【０００３】
視力回復訓練装置は、図５に示すように片眼の覗き部１１１とアイカップ１１２で構成されており、覗き部１１１から霧散する画像を凝視することで、片眼訓練のみが可能となっている（例えば特許文献１参照）。または図６に示すように、視標１１３と駆動装置で構成されており、視標１１３をある一定区間往復運動させ、その視標１１３を凝視することで、両眼訓練のみができる（例えば特許文献２参照）。
【特許文献１】特開２００４−２０１７６３号公報（第６頁、第１図）
【特許文献２】特開昭５２−１３１６８８号公報（第４頁、第２図）
【発明の開示】
【発明が解決しようとする課題】
【０００４】
しかしながら、従来の視力回復訓練装置においては、両眼訓練と片眼訓練の両方を行うことができないという問題があった。視力の調節力の訓練を行う場合は、片眼ずつ輻輳させない状態で訓練を行う必要がある。一方、両眼視力の訓練を行う場合は、輻輳も含めた状態で訓練する必要があり、単一の視標あるいは単一に見える視標を両眼視の状態で訓練を必要があった。【０００５】
本発明は、従来の問題を解決するためになされたもので、両眼訓練と片眼訓練の両方を実施することのできる視力回復訓練装置を提供することを目的とする。
【課題を解決するための手段】
【０００６】
本発明の視力回復訓練装置は、注視する視標と、視標を移動させる駆動装置と、視標を覗き込む３個の覗き窓を形成した視野板とを備え、前記覗き窓は３個ありかつ前記覗き窓は水平に並んで設けられ、中心に位置する覗き窓は視標の移動方向線の延長線上に位置し、他の２個の覗き窓は中心に位置する覗き窓から等距離に位置し、かつ他の２個の覗き窓の距離は人の瞳孔間隔に略等しいという特徴を有している。【０００７】
この構成により、中心の覗き穴を訓練眼で覗くことで片眼訓練を効率よく行うことができ、両眼訓練を行うときは両端の覗き穴から両眼で覗けばよく、片眼訓練と両眼訓練を一台の装置で実施することが可能となる。【０００８】
また、本発明の視力回復訓練装置は、視野板を覆いかつ摺動可能に保持された遮蔽板を備え、前記遮蔽板に２個の穴を形成し、該遮蔽板に形成された２個の穴の距離は、前記視野板に設けられた両端の２個の覗き窓の距離と等しいことを特徴とした構成を有している。【０００９】
この構成により、片眼訓練時には遮蔽板をスライドさせることで、両端の覗き窓をふさぐことができ、両眼訓練時には遮蔽板を定位置に置くことで、中心の覗き窓をふさぐことができるので、より訓練に集中することが可能となる。【００１０】
又、本発明の視力回復訓練装置は、前記覗き窓の形状が横に長いという特徴を有している。【００１１】
この構成により、瞳孔間隔の狭い小児から瞳孔間隔の広い大人まで同一の装置で両眼訓練を行うことが可能となる。
【発明の効果】
【００１２】
本発明は、視野板に、等距離でかつ両端の距離は人の瞳孔間隔に略等しい３個の覗き窓を設けたので、片眼訓練と両眼訓練の両方を効率よく実施できる視力回復訓練装置を提供することができるものである。
【図面の簡単な説明】
【００１３】
【図１】本発明の第１の実施の形態における視力回復訓練装置の概略構造図の正面図と側面図
【図２】本発明の第１の実施の形態における視力回復訓練装置の両眼訓練と片眼訓練の実施図
【図３】本発明の第２の実施の形態における視力回復訓練装置の要部の概略構造図
【図４】本発明の第２の実施の形態における視力回復訓練装置の両眼訓練と片眼訓練の実施図
【図５】従来の視力回復訓練装置の概要図
【図６】従来の視力回復訓練装置の断面図
【符号の説明】
【００１４】
１    視力回復訓練装置
２    視標
３    駆動装置
４    筐体
５ａ，５ｂ，５ｃ    覗き窓
６    駆動方向の向き
７    訓練者
８    左眼
９    右眼
１０    訓練用マーク
１１    遮蔽板
１２ａ，１２ｂ    穴
１３    視野板
Ｄ    覗き窓５ｂの直径
Ｌ    覗き窓５ａ、５ｃの幅
ＩＬ    覗き窓５ａ、５ｃ間の内側距離
ＯＬ    覗き窓５ａ、５ｃの外側距離
【発明を実施するための最良の形態】
【００１５】
以下、本発明の実施の形態の視力回復訓練装置について、図面を用いて説明する。【００１６】
（実施の形態１）
本発明の第１の実施の形態の視力回復訓練装置を図１に示す。図１（ａ）は正面図であり、図１（ｂ）は側面図である。【００１７】
図１において、視力回復訓練装置１は、凝視する視標２と、視標２を駆動する駆動装置３と、視標２と駆動装置３を内包する筐体４と、によって構成されている。筐体４には視野板１３が設置され、視野版１３には覗き窓５ａ、５ｂ、５ｃが形成されている。視標２には訓練用マーク１０が記載されている。視標２は矢印６の方向に移動する。駆動装置３はモータ１００と、ベルト１０１と、プーリー１０２と、によって構成されている。【００１８】
以上のように構成された視力回復訓練装置について、図２を用いてその動作を説明する。【００１９】
図２ａは両眼訓練を行う場合の訓練装置と訓練者の位置関係を表した図であり、図２ｂは片眼訓練を行う場合の訓練装置と訓練者の位置関係を表した図である。【００２０】
両眼訓練を行う場合は、図２ａに示したように訓練者７は左眼８を覗き窓５ａに、右目９を覗き窓５ｃにあわせる。このあと、視標２を矢印６の方向に往復動させ、左眼８および右眼９で往復動する視標２に記載された訓練用のマークを凝視することで、両眼での訓練を行うことができる。一方、片眼たとえば、右眼９で訓練を行うときは、図２ｂに示すように、右眼９を覗き窓５ｂに合わせる。このとき左眼８には視野板１３が見えるのみで視標２は見えない。この状態で視標２を矢印６の方向に往復動させ、右眼９で、往復動する視標２に記載された訓練用マーク１０を凝視することで、右眼９には輻輳も発生せず、純粋な調節訓練を行うことが可能となる。【００２１】
このような本発明の第１の実施の形態の視力回復訓練装置によれば、凝視する視標２と、視標２を駆動する駆動装置３と、視標２と駆動装置３を内包する筐体４と、筐体４の一面に設置された視野板１３によって構成されている。視野板１３には、覗き窓５ａ、５ｂ、５ｃを設けることにより、同一の視力回復訓練装置で効率よく両眼訓練と片眼訓練の両方を実施することが可能となる。図１において覗き窓５ａ、５ｃは長丸とした。９才の児童の瞳孔間距離は平均で５８ｍｍである。大人の瞳孔間距離は平均で６２ｍｍであるが、５６ｍから７２ｍｍまで分布している。図１に示す様に５ａ、５ｃの内側距離ＩＬを５０ｍｍ、外側距離ＯＬを８０ｍｍとすれば、大人から９才程度の児童まで訓練を行うことが可能となる。尚、覗き窓５ａ、５ｃの幅Ｌおよび覗き窓５ｂの直径Ｄは訓練用マーク１０が見える程度に小さくした方が、訓練用マーク以外のものが見えにくくなるため、訓練に集中しやすくなる。【００２２】
（実施の形態２）
次に、本発明の第２の実施の形態の視力回復訓練装置の要部を図３に示す。【００２３】
図３において視野板１３に形成された覗き窓５ａ〜５ｃを覆うように遮蔽板１１が摺動可能に保持されている。遮蔽板１１には、穴１２ａ、１２ｂが形成されている。本説明図では理解しやすいように遮蔽板１１は視野板１３から離して記載しているが実際には接している。【００２４】
以上のように構成された視力回復訓練装置について、図４を用いてその動作を説明する。図４は理解しやすいように遮蔽板１１および視野板１３は断面図で記載している。【００２５】
図４（ａ）は両眼訓練を行う場合で、遮蔽板１１に設けられた穴１２ａと覗き窓５ａが、穴１２ｂと覗き窓５ｃがそれぞれ一致している。そのため、左眼８と右眼９はそれぞれ視標２に記載された訓練用マーク１０を凝視することが可能となる。【００２６】
図４（ｂ）は片眼訓練を行う場合で、例えば右眼９の訓練を行う場合である。遮蔽板１１は図４（ｂ）で上方向に移動しており、遮蔽板１１の穴１２ａは覗き窓５ａ〜５ｃのいづれとも一致していない。一方穴１２ｂは覗き窓５ｂと一致しており、右眼９は視標２の訓練用マーク１０を凝視することができ、かつ視標の移動方向線上に右眼９があるので、輻輳などを発生させることなく、調節力のみの訓練を行うことができる。又このとき、訓練を行わない左眼８はふさがれた状態となるため、余計な外乱が左眼８に入ることもない。さらに、訓練者は両眼で遮蔽板１１に形成された穴１２ａと１２ｂを覗くだけでまようことなく、片眼訓練を行うことが可能となる。尚、遮蔽板１１が両眼訓練位置、左眼訓練位置および右眼訓練位置にあるときに、遮蔽板１１がずれないように板ばねやプランジャなどでクリック感をもたせて、遮蔽板１１をおさえても良い。【００２７】
以上のように本発明の第２の実施の形態の視力回復訓練装置によれば、筐体面に形成された覗き窓を覆うように遮蔽板が摺動可能に保持され、遮蔽板には、２個の穴が形成されている。このような構成とすることにより、両眼訓練と片眼訓練の両方を迷うことなく行うことが可能であり、さらに片眼訓練時には訓練をしていない片眼に外乱が入ることを防ぐことができるので、より能率的に片眼訓練を行うことができる。【００２８】
本発明を詳細にまた特定の実施態様を参照して説明したが、本発明の精神と範囲を逸脱することなく様々な変更や修正を加えることができることは当業者にとって明らかである。
本出願は、2005年9月29日出願の日本特許出願（特願2005−284152）に基づくものであり、その内容はここに参照として取り込まれる。
【産業上の利用可能性】
【００２９】
以上のように、本発明にかかる視力回復訓練装置は、視野板に、等距離でかつ両端の距離は人の瞳孔間隔に略等しい３個の覗き窓を設けたので、片眼訓練と両眼訓練の両方を効率よく実施できる視力回復訓練装置を提供することができるという効果を有し、目の結像調節機能の訓練を行う視力回復訓練装置等として有用である。
【図１】
2007037433.tif 000003
【図２】
2007037433.tif 000004
【図３】
2007037433.tif 000005
【図４】
2007037433.tif 000006
【図５】
2007037433.tif 000007
【図６】
2007037433.tif 000008
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
目の結像調節機能の訓練を行う視力回復訓練装置であって、
注視する視標と、視標を移動させる駆動装置と、視標を覗き込む３個の覗き窓を形成した視野板とを備え、前記覗き窓は３個ありかつそれぞれの覗き窓は水平に並んで設けられ、中心に位置する覗き窓は視標の移動方向線の延長線上に位置し、他の２個の覗き窓は中心に位置する覗き窓から等距離に位置し、かつ他の２個の覗き窓の距離は人の瞳孔間隔に略等しいことを特徴とする視力回復訓練装置。
【請求項２】
視野板を覆いかつ摺動可能に保持された遮蔽板を備え、前記遮蔽板に２個の穴を形成し、前記遮蔽板に形成された２個の穴の距離は、前記視野板に設けられた両端の２個の覗き窓の距離と等しいことを特徴とする請求項１記載の視力回復訓練装置。
【請求項３】
覗き窓は横方向に長い形状とした請求項１または２記載の視力回復訓練装置。
【手続補正２】
【補正対象書類名】明細書
【補正対象項目名】全文
【補正方法】変更
【補正の内容】
【発明の詳細な説明】
【技術分野】
【０００１】
本発明は、目の結像調節機能の訓練を行う視力回復訓練装置に関する。
【背景技術】
【０００２】
従来の視力回復訓練装置の概要と断面を図５と図６で示す。
【０００３】
視力回復訓練装置は、図５に示すように片眼の覗き部１１１とアイカップ１１２で構成されており、覗き部１１１から霧散する画像を凝視することで、片眼訓練のみが可能となっている（例えば特許文献１参照）。または図６に示すように、視標１１３と駆動装置で構成されており、視標１１３をある一定区間往復運動させ、その視標１１３を凝視することで、両眼訓練のみができる（例えば特許文献２参照）。
【０００４】
【特許文献１】特開２００４−２０１７６３号公報（第６頁、第１図）
【特許文献２】特開昭５２−１３１６８８号公報（第４頁、第２図）
【発明の開示】
【発明が解決しようとする課題】
【０００５】
しかしながら、従来の視力回復訓練装置においては、両眼訓練と片眼訓練の両方を行うことができないという問題があった。視力の調節力の訓練を行う場合は、片眼ずつ輻輳させない状態で訓練を行う必要がある。一方、両眼視力の訓練を行う場合は、輻輳も含めた状態で訓練する必要があり、単一の視標あるいは単一に見える視標を両眼視の状態で訓練を必要があった。
【０００６】
本発明は、従来の問題を解決するためになされたもので、両眼訓練と片眼訓練の両方を実施することのできる視力回復訓練装置を提供することを目的とする。
【課題を解決するための手段】
【０００７】
本発明の視力回復訓練装置は、注視する視標と、視標を移動させる駆動装置と、視標を覗き込む３個の覗き窓を形成した視野板とを備え、前記覗き窓は３個ありかつ前記覗き窓は水平に並んで設けられ、中心に位置する覗き窓は視標の移動方向線の延長線上に位置し、他の２個の覗き窓は中心に位置する覗き窓から等距離に位置し、かつ他の２個の覗き窓の距離は人の瞳孔間隔に略等しいという特徴を有している。
【０００８】
この構成により、中心の覗き穴を訓練眼で覗くことで片眼訓練を効率よく行うことができ、両眼訓練を行うときは両端の覗き穴から両眼で覗けばよく、片眼訓練と両眼訓練を一台の装置で実施することが可能となる。
【０００９】
また、本発明の視力回復訓練装置は、視野板を覆いかつ摺動可能に保持された遮蔽板を備え、前記遮蔽板に２個の穴を形成し、該遮蔽板に形成された２個の穴の距離は、前記視野板に設けられた両端の２個の覗き窓の距離と等しいことを特徴とした構成を有している。
【００１０】
この構成により、片眼訓練時には遮蔽板をスライドさせることで、両端の覗き窓をふさぐことができ、両眼訓練時には遮蔽板を定位置に置くことで、中心の覗き窓をふさぐことができるので、より訓練に集中することが可能となる。
【００１１】
又、本発明の視力回復訓練装置は、前記覗き窓の形状が横に長いという特徴を有している。
【００１２】
この構成により、瞳孔間隔の狭い小児から瞳孔間隔の広い大人まで同一の装置で両眼訓練を行うことが可能となる。
【発明の効果】
【００１３】
本発明は、視野板に、等距離でかつ両端の距離は人の瞳孔間隔に略等しい３個の覗き窓を設けたので、片眼訓練と両眼訓練の両方を効率よく実施できる視力回復訓練装置を提供することができるものである。
【発明を実施するための最良の形態】
【００１４】
以下、本発明の実施の形態の視力回復訓練装置について、図面を用いて説明する。
【００１５】
（実施の形態１）
本発明の第１の実施の形態の視力回復訓練装置を図１に示す。図１（ａ）は正面図であり、図１（ｂ）は側面図である。
【００１６】
図１において、視力回復訓練装置１は、凝視する視標２と、視標２を駆動する駆動装置３と、視標２と駆動装置３を内包する筐体４と、によって構成されている。筐体４には視野板１３が設置され、視野版１３には覗き窓５ａ、５ｂ、５ｃが形成されている。視標２には訓練用マーク１０が記載されている。視標２は矢印６の方向に移動する。駆動装置３はモータ１００と、ベルト１０１と、プーリー１０２と、によって構成されている。
【００１７】
以上のように構成された視力回復訓練装置について、図２を用いてその動作を説明する。
【００１８】
図２ａは両眼訓練を行う場合の訓練装置と訓練者の位置関係を表した図であり、図２ｂは片眼訓練を行う場合の訓練装置と訓練者の位置関係を表した図である。
【００１９】
両眼訓練を行う場合は、図２ａに示したように訓練者７は左眼８を覗き窓５ａに、右目９を覗き窓５ｃにあわせる。このあと、視標２を矢印６の方向に往復動させ、左眼８および右眼９で往復動する視標２に記載された訓練用のマークを凝視することで、両眼での訓練を行うことができる。一方、片眼たとえば、右眼９で訓練を行うときは、図２ｂに示すように、右眼９を覗き窓５ｂに合わせる。このとき左眼８には視野板１３が見えるのみで視標２は見えない。この状態で視標２を矢印６の方向に往復動させ、右眼９で、往復動する視標２に記載された訓練用マーク１０を凝視することで、右眼９には輻輳も発生せず、純粋な調節訓練を行うことが可能となる。
【００２０】
このような本発明の第１の実施の形態の視力回復訓練装置によれば、凝視する視標２と、視標２を駆動する駆動装置３と、視標２と駆動装置３を内包する筐体４と、筐体４の一面に設置された視野板１３によって構成されている。視野板１３には、覗き窓５ａ、５ｂ、５ｃを設けることにより、同一の視力回復訓練装置で効率よく両眼訓練と片眼訓練の両方を実施することが可能となる。図１において覗き窓５ａ、５ｃは長丸とした。９才の児童の瞳孔間距離は平均で５８ｍｍである。大人の瞳孔間距離は平均で６２ｍｍであるが、５６ｍから７２ｍｍまで分布している。図１に示す様に５ａ、５ｃの内側距離ＩＬを５０ｍｍ、外側距離ＯＬを８０ｍｍとすれば、大人から９才程度の児童まで訓練を行うことが可能となる。尚、覗き窓５ａ、５ｃの幅Ｌおよび覗き窓５ｂの直径Ｄは訓練用マーク１０が見える程度に小さくした方が、訓練用マーク以外のものが見えにくくなるため、訓練に集中しやすくなる。
【００２１】
（実施の形態２）
次に、本発明の第２の実施の形態の視力回復訓練装置の要部を図３に示す。
【００２２】
図３において視野板１３に形成された覗き窓５ａ〜５ｃを覆うように遮蔽板１１が摺動可能に保持されている。遮蔽板１１には、穴１２ａ、１２ｂが形成されている。本説明図では理解しやすいように遮蔽板１１は視野板１３から離して記載しているが実際には接している。
【００２３】
以上のように構成された視力回復訓練装置について、図４を用いてその動作を説明する。図４は理解しやすいように遮蔽板１１および視野板１３は断面図で記載している。
【００２４】
図４（ａ）は両眼訓練を行う場合で、遮蔽板１１に設けられた穴１２ａと覗き窓５ａが、穴１２ｂと覗き窓５ｃがそれぞれ一致している。そのため、左眼８と右眼９はそれぞれ視標２に記載された訓練用マーク１０を凝視することが可能となる。
【００２５】
図４（ｂ）は片眼訓練を行う場合で、例えば右眼９の訓練を行う場合である。遮蔽板１１は図４（ｂ）で上方向に移動しており、遮蔽板１１の穴１２ａは覗き窓５ａ〜５ｃのいづれとも一致していない。一方穴１２ｂは覗き窓５ｂと一致しており、右眼９は視標２の訓練用マーク１０を凝視することができ、かつ視標の移動方向線上に右眼９があるので、輻輳などを発生させることなく、調節力のみの訓練を行うことができる。又このとき、訓練を行わない左眼８はふさがれた状態となるため、余計な外乱が左眼８に入ることもない。さらに、訓練者は両眼で遮蔽板１１に形成された穴１２ａと１２ｂを覗くだけでまようことなく、片眼訓練を行うことが可能となる。尚、遮蔽板１１が両眼訓練位置、左眼訓練位置および右眼訓練位置にあるときに、遮蔽板１１がずれないように板ばねやプランジャなどでクリック感をもたせて、遮蔽板１１をおさえても良い。
【００２６】
以上のように本発明の第２の実施の形態の視力回復訓練装置によれば、筐体面に形成された覗き窓を覆うように遮蔽板が摺動可能に保持され、遮蔽板には、２個の穴が形成されている。このような構成とすることにより、両眼訓練と片眼訓練の両方を迷うことなく行うことが可能であり、さらに片眼訓練時には訓練をしていない片眼に外乱が入ることを防ぐことができるので、より能率的に片眼訓練を行うことができる。
【００２７】
本発明を詳細にまた特定の実施態様を参照して説明したが、本発明の精神と範囲を逸脱することなく様々な変更や修正を加えることができることは当業者にとって明らかである。
本出願は、2005年9月29日出願の日本特許出願（特願2005−284152）に基づくものであり、その内容はここに参照として取り込まれる。
【産業上の利用可能性】
【００２８】
以上のように、本発明にかかる視力回復訓練装置は、視野板に、等距離でかつ両端の距離は人の瞳孔間隔に略等しい３個の覗き窓を設けたので、片眼訓練と両眼訓練の両方を効率よく実施できる視力回復訓練装置を提供することができるという効果を有し、目の結像調節機能の訓練を行う視力回復訓練装置等として有用である。
【図面の簡単な説明】
【００２９】
【図１】本発明の第１の実施の形態における視力回復訓練装置の概略構造図の正面図と側面図
【図２】本発明の第１の実施の形態における視力回復訓練装置の両眼訓練と片眼訓練の実施図
【図３】本発明の第２の実施の形態における視力回復訓練装置の要部の概略構造図
【図４】本発明の第２の実施の形態における視力回復訓練装置の両眼訓練と片眼訓練の実施図
【図５】従来の視力回復訓練装置の概要図
【図６】従来の視力回復訓練装置の断面図
【符号の説明】
【００３０】
１    視力回復訓練装置
２    視標
３    駆動装置
４    筐体
５ａ，５ｂ，５ｃ    覗き窓
６    駆動方向の向き
７    訓練者
８    左眼
９    右眼
１０    訓練用マーク
１１    遮蔽板
１２ａ，１２ｂ    穴
１３    視野板
Ｄ    覗き窓５ｂの直径
Ｌ    覗き窓５ａ、５ｃの幅
ＩＬ    覗き窓５ａ、５ｃ間の内側距離
ＯＬ    覗き窓５ａ、５ｃの外側距離
【手続補正３】
【補正対象書類名】図面
【補正対象項目名】全図
【補正方法】変更
【補正の内容】
【図１】
2007037433.tif 000009
【図２】
2007037433.tif 000010
【図３】
2007037433.tif 000011
【図４】
2007037433.tif 000012
【図５】
2007037433.tif 000013
【図６】
2007037433.tif 000014
【国際調査報告】
2007037433.tif 000015
2007037433.tif 000016
2007037433.tif 000017
2007037433.tif 000018